(57)【要約】本発明のＳＣＨ位相ずれ検出装置は、ディジタル・コンポジット・ビデオ信号のカラーバースト信号部の直交関係にある２つのサンプル値を用いて、ＳＣＨ位相のズレを検出するように構成されている。
2005034526.tif 000002
【特許請求の範囲】
【請求項１】
ディジタル・コンポジット・ビデオ信号のカラーバースト信号部の直交関係にある２つのサンプル値を用いて、ＳＣＨ位相のズレを検出することを特徴とするＳＣＨ位相ずれ検出装置。
【請求項２】
ディジタル・コンポジット・ビデオ信号のカラーバースト信号部の１つサンプル値とＳＣＨ位相のズレデータにより、カラーバースト信号の振幅を検出することを特徴とするカラーバースト信号振幅検出装置。
【請求項３】
請求項２記載のカラーバースト信号振幅検出装置で検出されたカラーバースト信号の振幅を所定値と比較することにより、カラーバースト信号の波数を検出することを特徴とする波数検出装置。
【請求項４】
請求項２記載のカラーバースト信号振幅検出装置で検出されたカラーバースト信号の振幅値と水平同期信号の振幅値の比を用いて、ディジタル・コンポジット・ビデオ信号の周波数特性を制御する周波数特性制御装置。
【請求項５】
ディジタル・コンポジット・ビデオ信号のカラーバースト信号部の直交関係にある２つのサンプル値を用いて、ＳＣＨ位相のズレを検出することを特徴とするＳＣＨ位相ずれ検出方法。
【請求項６】
ディジタル・コンポジット・ビデオ信号のカラーバースト信号部の１つサンプル値とＳＣＨ位相のズレデータにより、カラーバースト信号の振幅を検出することを特徴とするカラーバースト信号振幅検出方法。
【請求項７】
請求項６記載のカラーバースト信号振幅検出方法で検出されたカラーバースト信号の振幅を所定値と比較することにより、カラーバースト信号の波数を検出することを特徴とする波数検出方法。
【請求項８】
請求項６記載のカラーバースト信号振幅検出方法で検出されたカラーバースト信号の振幅値と水平同期信号の振幅値の比を用いて、ディジタル・コンポジット・ビデオ信号の周波数特性を制御する周波数特性制御方法。
【発明の詳細な説明】
【技術分野】  本発明は、ＳＣＨ位相ずれ検出装置、カラーバースト信号振幅検出装置、波数検出装置、周波数特性制御装置及びＳＣＨ位相ずれ検出方法に係り、特に、ディジタル信号のままで、ＳＣＨの位相の検出、カラーバースト信号の振幅の検出、波数の検出、周波数特性の制御を行うＳＣＨ位相ずれ検出装置、カラーバースト信号振幅検出装置、波数検出装置、周波数特性制御装置及びＳＣＨ位相ずれ検出方法に関する。
【背景技術】  近年、ＴＶ放送のディジタル化に伴い、映像信号についてもアナログ信号からディジタル信号への移行が進みつつあり、映像機器においてもディジタル・ビデオ信号のインタフェースを具備するものが増加している。
例えば、ディジタル・ビデオ信号のインタフェースとして、ＳＤＩ（Ｓｅｒｉａｌ  Ｄｉｇｉｔａｌ  Ｉｎｔｅｒｆａｃｅ）信号等のディジタル・コンポジット・ビデオ信号が、知られている。このようなディジタル・コンポジット・ビデオ信号における水平ブランキング部監視及び補正を行う場合、従来は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）信号等のアナログのビデオ信号の技術を利用していた。その結果、ディジタル・コンポジット・ビデオ信号における水平ブランキング部監視及び補正を行う場合は、ディジタル信号に変換する前のアナログ信号で監視及び補正を行なうか、又は、ディジタル信号をアナログ信号に変換した後で監視及び補正を行なっていた。
また、ディジタル・コンポジット・ビデオ信号における水平ブランキング部監視及び補正を行うには、ディジタル・コンポジット・ビデオ信号におけるＳＣＨ位相（なお、ＳＣＨ位相については後述する。）ずれθを検出する必要がある。
なお、ディジタル信号の状態で、受信側において、受信側のクロック等を生成する発振器の出力と受信されたバースト信号の位相誤差を検出する回路が知られている（特許第３１１８３６６号公報及び特許第３３０４００３６公報参照）。
特許第３１１８３６６号公報における位相差検出回路は図１に示すように、複合映像信号中の水平同期信号に同期しかつ色副搬送波の周波数ｆｓｃの４倍の周波数を有するクロックパルスをサンプリングパルスとし、該サンプリングパルスによってサンプリングされてＡ／Ｄ変換されたディジタル化複合映像信号中からカラーバースト信号部分をカラーバースト信号抜取り回路１において抜取る。一方、周波数４ｆｓｃの発振をする水晶発振器２の発振出力を分周器３によって４分周して周波数ｆｓｃとし、分周器３の出力の位相を順次移相器４、５、６によって９０度移相する。
カラーバースト信号抜取り回路１から抜き取られたカラーバースト信号部分は、分周器３、移相器４、５、６の出力をサンプリングパルスとして、サンプルホールド回路７、８、９、１０においてサンプルホールドする。サンプルホールド回路７の出力からサンプルホールド回路９の出力を加算器１１にて減算して減算値をレジスタ１２に供給して保持し、レジスタ１２の出力を加算器１１にて１水平走査期間中におけるカラーバースト波の波数以下の回数の累積加算を行い、サンプルホールド回路８の出力からサンプルホールド回路１０の出力を加算器１４にて減算してその減算値をレジスタ１５に供給して保持し、レジスタ１５の出力を加算器１４にて前記の回数と同一の回数の累積加算を行う。
レジスタ１２の置数をレジスタ１５の置数で除算器１７において除算する。ここで、分周器３の出力とカラーバースト信号との位相差をθとしたとき、除算器１７からは、ｔａｎθに対応した値が出力される。
特許第３３０４００３６公報におけるカラーバースト信号の位相差検出回路を有する映像処理装置を図２に示す。図２に示したディジタル式テレビジョン受像機に適用された映像処理装置においては、ビデオ入力には、クランプ回路２１を介してＡ／Ｄ変換器２２が接続されている。Ａ／Ｄ変換器２２はクランプされたアナログの複合映像信号を内部クロック信号（サンプリングクロック信号）に応じてサンプリングしてディジタル映像信号に変換する。Ａ／Ｄ変換器２２によってディジタル化された映像信号はＹ／Ｃ分離回路２３に供給される。Ｙ／Ｃ分離回路３からのディジタル色信号は色位相復調部２４に供給される。色位相復調部２４は乗算器２５，２６及びＬＰＦ（ローパスフィルタ）２７，２８からなり、乗算器２５及びＬＰＦ２７によって赤色差信号であるＲ−Ｙ信号が得られ、乗算器２６及びＬＰＦ２８によって青色差信号であるＢ−Ｙ信号が得られる。
また、Ｒ−Ｙ信号及びＢ−Ｙ信号はバースト位相検出部９に供給される。バースト位相検出部９は割算器１０及びアークタンゼント演算器１１を備え、カラーバースト期間のＲ−Ｙ信号及びＢ−Ｙ信号からカラーバースト位相誤差信号を生成する。
しかしながら、特許第３１１８３６６号公報及び特許第３３０４００３６公報に記載された発明は、何れも、受信側において、受信側のクロック等を生成する発振器の出力と受信されたバースト信号の位相誤差を検出するものであり、本発明で目的とするＳＣＨ位相ずれ等の検出を行うことはできない。
特許第３１１８３６６号公報及び特許第３３０４００３６公報に限らず、従来のものは、ディジタル・コンポジット・ビデオ信号（ＳＤＩ信号）のままで、ＳＣＨの位相の検出、カラーバースト信号の振幅の検出、波数の検出ができないという問題がある。
なお、付言すれば、特許第３１１８３６６号公報に記載された発明は、４つのサンプリング値を用い、かつ、波数以下の回数の累積加算を行う等の複雑な処理を行っているという問題がある。また、特許第３３０４００３６公報に記載された発明は、２つの異なる色差信号を用いており、回路構成が複雑となるという問題がある。
本発明は、上記問題に鑑みなされたものであり、簡単な構成で、ディジタル・コンポジット・ビデオ信号のままで、ＳＣＨの位相ずれ、カラーバースト信号の振幅、カラーバーストの波数の検出及びディジタル・コンポジット・ビデオ信号の周波数特性の制御を行うＳＣＨ位相ずれ検出装置、カラーバースト信号振幅検出装置、波数検出装置、周波数特性制御装置及びＳＣＨ位相ずれ検出方法を提供することを目的とする。
【発明の開示】
本発明は、上述した従来技術の問題を解決する、改良されたＳＣＨ位相ずれ検出装置、カラーバースト信号振幅検出装置、波数検出装置、周波数特性制御装置及びＳＣＨ位相ずれ検出方法を提供することを目的とする。
この目的を達成するために、本発明のＳＣＨ位相ずれ検出装置は、ディジタル・コンポジット・ビデオ信号のカラーバースト信号部の直交関係にある２つのサンプル値を用いて、ＳＣＨ位相のズレを検出するように構成する。
これにより、ディジタル・コンポジット・ビデオ信号のカラーバースト信号部の直交関係にある２つのサンプル値を用いて、ＳＣＨ位相のズレを検出することにより、簡単な構成で、ディジタル・コンポジット・ビデオ信号のままで、ＳＣＨの位相ずれの検出が行えるＳＣＨ位相ずれ検出装置を提供することができる。
また、本発明のカラーバースト信号振幅検出装置は、ディジタル・コンポジット・ビデオ信号のカラーバースト信号部の１つサンプル値とＳＣＨ位相のズレデータとにより、カラーバースト信号の振幅を検出するように構成することができる。
これにより、ディジタル・コンポジット・ビデオ信号のカラーバースト信号部の１つサンプル値とＳＣＨ位相のズレデータとにより、カラーバースト信号の振幅を検出することにより、簡単な構成で、ディジタル・コンポジット・ビデオ信号のままで、カラーバースト信号の振幅の検出が行えるカラーバースト信号振幅検出装置を提供することができる。
また、本発明の波数検出装置は、カラーバースト信号振幅検出装置で検出されたカラーバースト信号の振幅を所定値と比較することにより、カラーバースト信号の波数を検出するように構成することができる。
これにより、カラーバースト信号の振幅を所定値と比較することにより、カラーバースト信号の波数を検出することにより、簡単な構成で、ディジタル・コンポジット・ビデオ信号のままで、カラーバースト信号の波数の検出が行える波数検出装置を提供することができる。
また、本発明の周波数特性制御装置は、カラーバースト信号振幅検出装置で検出されたカラーバースト信号の振幅値と水平同期信号の振幅値の比を用いて、ディジタル・コンポジット・ビデオ信号の周波数特性を制御するように構成することができる。
これにより、カラーバースト信号の振幅値と水平同期信号の振幅値の比を用いて、ディジタル・コンポジット・ビデオ信号の周波数特性を制御することにより、簡単な構成で、ディジタル・コンポジット・ビデオ信号のままで、ディジタル・コンポジット・ビデオ信号の周波数特性の制御が行える周波数特性制御装置を提供することができる。
また、本発明のＳＣＨ位相ずれ検出方法は、ディジタル・コンポジット・ビデオ信号のカラーバースト信号部の直交関係にある２つのサンプル値を用いて、ＳＣＨ位相のズレを検出するように構成することができる。
これにより、ディジタル・コンポジット・ビデオ信号のカラーバースト信号部の直交関係にある２つのサンプル値を用いて、ＳＣＨ位相のズレを検出することにより、簡単な構成で、ディジタル・コンポジット・ビデオ信号のままで、ＳＣＨの位相ずれの検出が行えるＳＣＨ位相ずれ検出方法を提供することができる。
【図面の簡単な説明】  本発明の他の目的、特徴及び利点は添付の図面を参照しながら、以下の説明を読むことにより、一層明瞭となるであろう。
図１は、従来技術における位相差検出回路を説明するための図である。
図２は、従来技術における映像処理装置を説明するための図である。
図３は、ＳＣＨ位相を説明するための図である。
図４は、ディジタル水平ブランキング期間におけるビットサンプルの位置と値を説明するための図である。
図５は、奇フィールドの奇ライン、偶フィールドの偶ラインの場合のカラーバースト信号を説明するための図である。
図６は、奇フィールドの偶ライン、偶フィールドの奇ラインの場合のカラーバースト信号を説明するための図である。
図７は、ＳＣＨ位相ずれを検出し、カラーバースト信号の振幅を検出し、波数を検出し、さらに周波数特性制御を行う装置を説明するための図である。
図８は、制御信号ブロックの詳細を説明するための図である。
なお、上記図において用いられている主要な参照符合を以下に説明する。
４１はラインユニークワード検出部、４２はペル・カウンター（ラッチクロック発生器）、４３は制御信号ブロック、４４は振幅値取得部、４５は同期信号振幅平均化部、４６は遅延調整部、４７は周波数特性制御部、４８はゲイン制御部、５０〜５５はラッチ回路、６１はバースト信号処理部、６２、６３はオフセット削除部、６４、８１、８２は除算部、６５はアークタンジェント演算部、６６、６７は減算部、６８はバースト信号振幅演算部、６９はバースト振幅正規化部、７１はＳＣＨ位相ずれ平均化部、７２はバースト振幅平均化部、７３はカウント部、８３は周波数特性制御部である。
【発明を実施するための最良の形態】  以下、図面に基づいて本発明の実施例を説明する。
（動作原理）
ＳＣＨ（ＳｕｂＣａｒｒｉｅｒ  ｔｏ  Ｈｏｒｉｚｏｎｔａｌ）位相は、ＳＤＩディジタル・コンポジット・ビデオ信号等における位相であり、このＳＣＨ位相について、図３により説明する。なお、ＳＤＩディジタル・コンポジット・ビデオ信号は、スタジオディジタルインタフェースであり、局内伝送用のディジタル・ビデオ信号である。このＳＤＩディジタル・コンポジット・ビデオ信号は、局間の伝送にも用いられる。一般視聴者は、このＳＤＩディジタル・コンポジット・ビデオ信号に基づいて放送された、ディジタル放送をディジタルテレビジョン受像機で受像することができる。
ＮＴＳＣ信号においては、二つの色信号ＥＩ、ＥＱ信号は、色副搬送波を直角２相変調して、伝送される。したがって、受信側の検波用局部副搬送波の周波数と位相を送信側の副搬送波と正しい関係になければならない。このために、ＮＴＳＣ方式では、カラーバーストが伝送されている。カラーバーストは、水平同期信号のバックポーチに挿入されて、その振幅はｐｐ値で、同期信号に等しく、８〜１２サイクル持続する副搬送波である。
ＮＴＳＣ信号のＳＣＨの位相は、図３に示すようにカラーバースト信号を水平同期信号まで延長して、カラーバースト信号のゼロクロス点と水平同期信号パルスの振幅５０％の前縁位置とが一致するように設定される。ＳＣＨの位相を規定する米国の規格ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）−１７０Ｍでは、その誤差は、０±１０度以内と規定されている。
図４は、ディジタル水平ブランキング期間におけるビットサンプルの位置と値を示すものである。ディジタル・コンポジット・ビデオ信号は、アナログＮＴＳＣ信号の色副搬送波の周波数ｆｓｃの４倍（４ｆｓｃ＝４×３．５７９５４５ＭＨｚ）のクロックでサンプリングしたものである。水平ブランキング部のサンプル値については、コンポジット信号のパラレルインタフェースであるＳＭＰＴＥ−２４４で規定されている。したがって、カラーバースト部分におけるサンプリング間隔は、位相差が丁度“９０°”となっている。
また、図４では、サンプリング位置をワード番号で示している。図４（Ａ）に示されているように、ディジタルアクティブビデオの始まりのワード番号を、「０００」とし、ディジタル水平ブランキングの終わりを「９０９」としている。したがって、１水平期間を、９１０回、サンプリングしていることになる。
図４（Ａ）に示されているように、ディジタルアクティブビデオの始まりがワード番号「０００」で、ディジタルアクティブビデオの終わりがワード番号「７６７」であり、フロントポーチは、ワード番号「７６８」〜ワード番号「７８２」でサンプリングされ、水平同期信号部分は、ワード番号「７８２」〜ワード番号「８５４」でサンプリングされ、バックポーチは、ワード番号「８５４」〜ワード番号「９０９」でサンプリングされる。また、カラーバースト部分は、ワード番号「８５７」〜ワード番号「９００」でサンプリングされている。なお、後述するライン・ユニークワードであるＴＲＳ−ＩＤは、ワード番号「７９０」〜ワード番号「７９４」に存在する。
サンプリング値が、図４（Ｂ）及び図４（Ｃ）に示されている。なお、サンプリング値は、１０ビットで表現された場合で示されている。１０ビットに代えて、８ビットで表現されてもよい。また、カラーバーストは、ライン毎、フィールド毎に反転するので、０°と１８０°の場合について、その値を示している。
これによれば、ペデスタルレベルは、“０Ｆ０”で示されている。また、理想的なＳＣＨ位相０°のカラーバースト信号は、
ａ＝Ａｓｉｎ（ωｔ−３３°）  ・・・・・・・（１）
と表されるので、位相ずれθのカラーバースト信号は、
ａ＝Ａｓｉｎ（ωｔ−３３°−θ）  ・・・・・（２）
となる。
図５及び図６は、ワード番号「８６４」〜ワード番号「８６７」でサンプリングされたカラーバーストを示している。なお、図５は、奇フィールドの奇ライン、偶フィールドの偶ラインの場合のカラーバースト信号であり、図６は、奇フィールドの偶ライン、偶フィールドの奇ラインの場合のカラーバースト信号である。原理は、何れも同じであるので、図５の場合について説明する。なお、図５及び図６において、カラーバースト信号を４ｆｓｃでサンプルしているので、サンプル間隔は９０°となっている。
ワード番号「８６４」でのサンプル値は、位相が９０°のサンプル値であり、その値をｓ１とし、そのときの振幅をａ１とする。カラーバーストは正弦波であるので、ワード番号「８６６」の位相が２７０°のサンプル値も、同じ、ｓ１となり、そのとき振幅も同じａ１となる。
ワード番号「８６５」でのサンプル値は、位相が１８０°のサンプル値であり、その値をｓ２とし、そのときの振幅をａ２とする。カラーバーストは正弦波であるので、ワード番号「８６７」の位相が３６０°のサンプル値も、同じ、ｓ２となり、そのとき振幅も同じａ２となる。
（ＳＣＨ位相ずれθの検出）
ところで、カラーバースト信号は、ペデスタルレベル０Ｆ０（ｈｅｘ）を中心のｓｉｎ波なので、カラーバースト信号のサンプル点での振幅は、サンプル値ｓ１、ｓ２より０Ｆ０（ｈｅｘ）を引いた値となる。
つまり、カラーバースト信号の振幅ａ１、ａ２は、
ａ１＝ｓ１−０Ｆ０（ｈｅｘ）  ・・・・・（３）
ａ２＝ｓ２−０Ｆ０（ｈｅｘ）  ・・・・・（４）
と表される。
一方、位相ずれθのカラーバースト信号は、式（２）で表されるから、カラーバースト信号の振幅ａ１、ａ２は、
ａ１＝Ａｓｉｎ（９０−（３３°＋θ））
＝Ａｃｏｓ（３３°＋θ）  ・・・・・・・（５）
ａ２＝Ａｓｉｎ（１８０−（３３°＋θ））
＝Ａｓｉｎ（３３°＋θ）  ・・・・・・・（６）
と表される。
したがって、式（５）及び式（６）から、
ａ２／ａ１＝ｔａｎ（３３°＋θ）  ・・・・・（７）
が導きだされる。この式（７）から、ＳＣＨ位相ずれθを得ることができる。
つまり、ＳＣＨ位相ずれθは、
θ＝ｔａｎ−１（ａ２／ａ１）−３３°  ・・・・（８）
と表される。
なお、このＳＣＨ位相ずれθは、式（３）及び式（４）を式（８）に代入することにより、次のように表される。
θ＝ｔａｎ−１（（ｓ２−０Ｆ０（ｈｅｘ））／（ｓ１−０Ｆ０（ｈｅｘ）））
−３３°  ・・・・・・（９）
式（９）によれば、カラーバースト信号部の直交関係にある２つのサンプル値ｓ１、ｓ２により、ＳＣＨ位相ずれθを求めることができる。
（カラーバースト信号の振幅Ａの検出）
ＳＣＨ位相ずれθ、カラーバースト信号の振幅Ａ、カラーバースト信号のサンプル点での振幅ａ、カラーバースト信号のサンプル値ｓとすると、
サンプル点での振幅ａは、次のように表される。
ａ＝Ａｓｉｎ（ωｔ−３３°−θ）  ・・・・・（２）
＝Ａｓｉｎ（ωｔ−（３３°＋θ））  ・・・・（１０）
したがって、カラーバースト信号の振幅Ａは、
Ａ＝ａ／（ｓｉｎ（ωｔ−（３３°＋θ）））  ・・・（１１）
＝（ｓ−０Ｆ０（ｈｅｘ））／（ｓｉｎ（ωｔ−（３３°＋θ）））
・・・（１２）
と表される。
同様に、ωｔが９０°又は２７０°の場合は、
Ａ＝（ｓ１−０Ｆ０（ｈｅｘ））／（ｓｉｎ（９０−（３３°＋θ）））
・・・（１３）
＝（ｓ１−０Ｆ０（ｈｅｘ））／（ｃｏｓ（（３３°＋θ）））
・・・（１４）
と表される。
式（１４）によれば、ディジタル・コンポジット・ビデオ信号のカラーバースト信号部の１つサンプル値ｓ１とＳＣＨ位相のズレデータθとにより、カラーバースト信号の振幅Ａを求めることができる。
【実施例】  図７を用いて、ＳＣＨ位相ずれを検出し、カラーバースト信号の振幅を検出し、波数を検出し、さらに周波数特性制御を行う装置を説明する。
図７の装置は、ラインユニークワード検出部４１、ペル・カウンター（ラッチクロック発生器）４２、制御信号ブロック４３、振幅値取得部４４、同期信号振幅平均化部４５、遅延調整部４６、周波数特性制御部４７、ゲイン制御部４８及びラッチ回路５０〜５５から構成されている。
ラインユニークワード検出部４１は、ディジタル・コンポジット・ビデオ信号（ＳＤＩ信号）のワード番号「７９０」〜ワード番号「７９４」に存在するＴＲＳ−ＩＤを検出して、ペル・カウンター４２をリセットする。
ペル・カウンター４２は、ペル（ｐｅｌ）をカウントし、前記ワード番号に対応するペル番号のタイミング時点においてラッチクロックを発生し、ラッチ回路５０〜５５にクロックを供給する。ラッチ回路５０〜５５では、ペル・カウンター４２からのラッチクロックに応じて、所定のワード番号に対応するＳＤＩ信号をラッチする。例えば、ラッチ回路５０、５１、５２、５３には、ワード番号「８６４」、ワード番号「８６５」、ワード番号「８９３」、ワード番号「７８７」のサンプリング値をラッチする。
ラッチ回路５３、５４、．．．５５には、水平同期底に相当するワード番号「７８７」、ワード番号「７８８」、．．．ワード番号「８４９」のデータがラッチされる。振幅値取得部４４は、ワード番号「７８７」、ワード番号「７８８」、．．．ワード番号「８４９」の各データ値（ｓ）と、ペデスタルレベルのデータ値（０Ｆ０（ｈｅｘ））との差分（水平同期信号の振幅に相当する。）を計算して、各サンプル点での振幅（ａ）を出力する。同期信号振幅平均化部４５は、ワード番号「７８７」、ワード番号「７８７」、．．．ワード番号「８４９」における各サンプル点での振幅（ａ）の算術平均を行って、同期信号振幅値を出力する。同期信号振幅平均化部４５で求められた水平同期信号の振幅値は、制御信号ブロック４３に供給される。
また、ラッチ回路５０、５１、．．．５２には、カラーバースト信号に相当するワード番号「８６４」、ワード番号「８６５」、．．．ワード番号「８９３」のデータがラッチされる。
ところで、式（８）に示したように、２つのサンプル値ｓ１、ｓ２により、ＳＣＨ位相ずれθを求めることができる。そこで、制御信号ブロック４３は、ラッチ回路５０、５１、．．．５２に、ラッチされたカラーバースト信号の隣接したデータに基づいて、式（８）を展開した式（９）に基づいて、ＳＣＨ位相ずれθを求める。
また、制御信号ブロック４３は、同期信号振幅平均化部４５で求められた水平同期信号の振幅値より、ゲイン制御部４８を制御する。
また、水平同期信号は、カラーバーストと比較して低周波であり、カラーバーストは、水平同期信号と比較して高周波であるので、水平同期信号の振幅値とカラーバーストの振幅値と比較したとき、水平同期信号の振幅値がカラーバーストの振幅値より大きいとき、高域が減衰されているといえるので、制御信号ブロック４３は、周波数特性制御部４７を制御して、高域を上げる。これにより、ＳＤＩディジタル・コンポジット・ビデオ信号の高域の周波数特性が強調される。
また、制御信号ブロック４３は、所定値以上の振幅を有するバースト・サイクル数を算出する。なお、バースト・サイクル数の算出は、検出されたカラーバーストの値そのものから、所定値以上の振幅を有するバースト・サイクル数を算出するようにしてもよいし、検出されたカラーバーストを正規化した上で、所定値以上の振幅を有するバースト・サイクル数を算出するようにしてもよい。
図８に制御信号ブロックの詳細を示す。図８の制御信号ブロックは、バースト信号処理部６１１〜６１１５、ＳＣＨ位相ずれ平均化部７１、バースト振幅平均化部７２、カウント部７３、除算部８１、８２、周波数特性制御部８３から構成されている。また、バースト信号処理部６１１〜６１１５は、オフセット削除部６２、６３、除算部６４、アークタンジェント演算部６５、減算部６６、６７、バースト信号振幅演算部６８、バースト振幅正規化部６９から構成されている。
カラーバースト信号におけるワード番号「８６４」及びワード番号「８６５」のデータである８６４ペルのデータ及び８６５ペルのデータが、バースト信号処理部６１１に供給される。なお、動作原理で説明した内容と整合をとれば、８６４ペルのデータ及び８６５ペルのデータは、それぞれ、ｓ１及びｓ２に対応する。
８６４ペルのデータ（ｓ１）及び８６５ペルのデータ（ｓ２）は、オフセット削除部６２及びオフセット削除部６３で、式（３）及び式（４）の演算が行われ、ペデスタルレベル“０Ｆ０”が減算される。オフセット削除部６２及びオフセット削除部６３の出力ａ１及びａ２は、除算部６４に供給される。除算部６４では、式（７）の演算が行われる。除算部６４の出力は、アークタンジェント演算部６５及び減算部６６に供給される。アークタンジェント演算部６５及び減算部６６では、式（８）の演算が行われ、減算部６６から、ＳＣＨ位相ずれθを得ることができる。
また、減算部６７には、８６４ペルのデータ（ｓ１）とペデスタルレベル“０Ｆ０”が供給される。減算部６７で、式（３）の演算が行われ、ｓ１からペデスタルレベル“０Ｆ０”が減算される。減算部６６の出力（ＳＣＨ位相ずれθ）及び減算部６７の出力（ａ１）が、バースト信号振幅演算部６８に供給される。バースト信号振幅演算部６８では、式（１４）の演算が行われ、バースト信号振幅演算部６８から、バースト信号の振幅値を得ることができる。バースト信号振幅演算部６８で得られたバースト信号のバースト振幅は、バースト振幅正規化部６９及びバースト振幅平均化部７２に供給される。
また、バースト振幅正規化部６９は、バースト信号振幅演算部６８から供給されたバースト信号の振幅値を、４０ＩＲＥ（バースト振幅）で正規化する。つまり、バースト信号振幅演算部６８から供給されたバースト信号の振幅値が、４０ＩＲＥ（バースト振幅）と同じであれば、“１”となり、バースト信号の振幅値が、４０ＩＲＥ（バースト振幅）以下であれば、“１以下の値”となる。バースト振幅正規化部６９で正規化されたバースト振幅のデータは、カウント部７３に供給される。
カラーバースト信号における８６６ペルのデータ及び８６７ペルのデータが、バースト信号処理部６１２に供給される。バースト信号処理部６１２からは、データバースト信号処理部６１１と同様に、８６６ペルのデータ及び８６７ペデータに応じて、ＳＣＨ位相ずれθ、正規化されたバースト振幅のデータ及びバースト振幅が出力される。
同様に、８９２ペルのデータ及び８９３ペルのデータが、バースト信号処理部６１１５に供給される。バースト信号処理部６１１５からは、データバースト信号処理部６１２と同様に、８９２ペルのデータ及び８９３ペルのデータに応じて、ＳＣＨ位相ずれθ、正規化されたバースト振幅のデータ及びバースト振幅が出力される。
ＳＣＨ位相ずれ平均化部７１は、バースト信号処理部６１１〜６１１５からのＳＣＨ位相ずれθを受けて算術平均する。ＳＣＨ位相ずれ平均化部７１からの出力を、制御信号ブロック４３で算出したＳＣＨ位相ずれθとする。
バースト振幅平均化部７２は、バースト信号処理部６１１〜６１１５からのバースト振幅を受けて算術平均する。バースト振幅平均化部７２からの出力を除算部８１に供給する。
カウント部７３は、バースト信号処理部６１１〜６１１５からの正規化されたバースト振幅のデータを受けて、閾値以上のデータをカウントする。例えば、例えば、閾値を０．９とすると０．９以上のデータをカウントしてバースト波数とし、この波数に基づいて、カラーバーストデータの正常性を判定する。
除算部８１は、バースト振幅平均化部７２からの出力、つまり、８６４〜８９３ワードの１５個の算出結果を平均化したものと水平同期振幅値との比をとり、その比に応じて、図７で説明したように、周波数特性制御部８３を制御する。例えば、除算部８１の出力が１ならばフラット、１より小さい時は高域が落ちているため、高域を上げるように、周波数特性制御部８３を制御する。
また、水平同期振幅値と４０ＩＲＥ（正規の水平同期振幅値）の比をとり、４０ＩＲＥとなるようにゲインを制御する。
上述の如く本発明によれば、簡単な構成で、ディジタル・コンポジット・ビデオ信号のままで、ＳＣＨの位相ずれ、カラーバースト信号の振幅、カラーバーストの波数の検出及びディジタル・コンポジット・ビデオ信号の周波数特性の制御を行うＳＣＨ位相ずれ検出装置、カラーバースト信号振幅検出装置、波数検出装置、周波数特性制御装置及びＳＣＨ位相ずれ検出方法を提供することができる。
なお、本発明は、具体的に開示された実施例に限定されるものではなく、特許請求した本発明の範囲から逸脱することなく、種々の変形例や実施例が考えられる。
【図１】
2005034526.tif 000003
【図２】
2005034526.tif 000004
【図３】
2005034526.tif 000005
【図４】
2005034526.tif 000006
【図５】
2005034526.tif 000007
【図６】
2005034526.tif 000008
【図７】
2005034526.tif 000009
【図８】
2005034526.tif 000010
【国際調査報告】
2005034526.tif 000011
2005034526.tif 000012
2005034526.tif 000013
2005034526.tif 000014